(57)【要約】【課題】下位端末をより簡易に構成することができ、下位端末のセキュリティ性を確実に高めることが可能な読取システムを提供する。【解決手段】携帯型端末３０（下位端末）は、電子マネー決済機１０が有する動作プログラムの実行に応じて、電子マネー決済機１０から命令情報を受信しＩＣカードＣからの情報取得や他の装置を動作させるようにしている。また、電子マネー決済機１０は命令情報に応じた携帯型端末３０からの応答情報に基づいて情報処理を行うようにしている。さらに、携帯型端末３０では、変復調器４３によって取得された情報を電子マネー決済機１０へ送信するとともに、当該携帯型端末３０内でこの情報を強制消去している。これにより、下位端末をより簡易に構成することができ、下位端末のセキュリティ性を確実に高めることができる。【選択図】図１
2014071720.tif 000002
【特許請求の範囲】
【請求項１】
情報処理機能を有する機器によって構成される上位装置と、前記上位装置と通信可能に構成され記録媒体からの情報取得動作が可能な携帯型下位端末と、を備えた読取システムであって、
前記上位装置は、
前記携帯型下位端末と通信可能な上位側通信手段と、
前記携帯型下位端末から所定情報を取得した場合に動作する動作プログラムと、
前記動作プログラムの実行に応じて前記携帯型下位端末に対し命令情報を送信し、当該命令情報に応じた前記携帯型下位端末からの応答情報に基づいて情報処理を行う情報処理手段と、
を備え、
前記携帯型下位端末は、
前記上位装置と通信可能な下位側通信手段と、
外部操作が可能な操作手段と、
前記記録媒体から情報を取得する動作を行う情報取得手段と、
前記操作手段にて所定の外部操作があった場合に前記上位装置に対して前記所定情報を送信するアクセス手段と、
前記上位装置から前記命令情報を取得し、当該命令情報に応じて前記情報取得手段又は当該携帯型下位端末に設けられた他の装置を動作させる動作手段と、
前記応答情報として、前記情報取得手段によって取得された取得情報又は当該取得情報を加工した加工情報を前記上位装置に送信する情報送信手段と、
前記情報送信手段によって送信する情報を、当該携帯型下位端末内で非蓄積状態とする非蓄積手段と、
を有することを特徴とする読取システム。
【請求項２】
前記携帯型下位端末の前記情報取得手段は、決済に用いられる前記記録媒体としての非接触通信媒体から非接触通信にて情報を読み取る非接触通信手段を備え、
前記上位装置の前記情報処理手段は、前記携帯型下位端末から前記所定情報を取得した場合に、少なくとも前記命令情報として前記非接触通信手段での通信開始の条件となる指示情報を送信し、
前記携帯型下位端末の前記動作手段は、前記上位装置から前記指示情報を取得した場合に、前記非接触通信手段を動作させて前記非接触通信媒体との非接触通信を実行し、
前記携帯型下位端末の前記情報送信手段は、前記非接触通信手段によって前記非接触通信媒体から読み取られた読取情報又は前記加工情報を前記応答情報として前記上位装置に送信し、
前記情報処理手段は、前記情報送信手段からの前記応答情報の送信があった場合に、当該応答情報に基づく決済処理を行うことを特徴とする請求項１に記載の読取システム。
【請求項３】
前記上位装置の前記情報処理手段は、前記携帯型下位端末に対し前記非接触通信媒体に送信するべきコマンドを送信し、
前記携帯型下位端末の前記動作手段は、前記上位装置から前記コマンドを取得した場合に当該コマンドを前記非接触通信手段に与え、
前記非接触通信手段は前記コマンドを変調して前記非接触通信媒体に送信することを特徴とする請求項２に記載の読取システム。
【請求項４】
前記記録媒体には、当該記録媒体に固有に割り当てられた固有情報が記録されており、
前記携帯型下位端末の前記情報取得手段は、前記記録媒体から少なくとも前記固有情報を取得するように構成され、
前記携帯型下位端末の前記情報送信手段は、少なくとも前記固有情報を前記上位装置に送信するように構成され、
前記非蓄積手段は、当該携帯型下位端末内で前記固有情報を強制消去することを特徴とする請求項１から請求項３のいずれか一項に記載の読取システム。
【請求項５】
前記上位装置には、
描画データを生成する描画データ生成手段と、
前記描画データ生成手段で生成された前記描画データを前記携帯型下位端末に送信する描画データ送信手段と、
が設けられており、
前記携帯型下位端末には、
情報の表示が可能な表示部を備え、前記上位装置から前記描画データの送信があった場合に、当該描画データに応じた描画内容で前記表示部の表示を行う表示制御手段が設けられていることを特徴とする請求項１から請求項４のいずれか一項に記載の読取システム。
【請求項６】
前記上位装置の前記描画データ生成手段は、表示するべき文字を指定する文字情報と当該文字情報の表示位置を指定する位置情報とを含んでなる前記描画情報を生成し、
前記携帯型下位端末の前記表示制御手段は、前記描画情報の前記位置情報で指定される位置に、当該描画情報で指定される前記文字情報を表示するように前記表示部での表示を行うことを特徴とする請求項５に記載の読取システム。
【請求項７】
前記上位装置には、
音データを記憶する音データ記憶手段と、
所定の音発生条件成立時に前記音データ記憶手段に記憶された前記音データを前記携帯型下位端末に送信する音データ送信手段と、
が設けられており、
前記携帯型下位端末には、
少なくとも前記上位装置から前記音データの送信があった場合に当該音データに応じた音を発生させる音発生手段が設けられていることを特徴とする請求項１から請求項６のいずれか一項に記載の読取システム。
【請求項８】
前記動作プログラムは、前記携帯型下位端末から前記所定情報を取得した場合に、予め定められた規定の共通データを前記携帯型下位端末へ送信する送信プログラムを含み、
前記情報処理手段は、前記送信プログラムの実行に応じて前記共通データを前記携帯型下位端末に対して送信し、
前記携帯型下位端末は、前記上位装置から取得した前記共通データを登録する共通データ登録手段と、
前記上位装置と所定の通信不能状態となった場合に、前記共通データ登録手段に登録された前記共通データを消去する共通データ消去手段と、を備えることを特徴とする請求項１から請求項７のいずれか一項に記載の読取システム。
【請求項９】
前記上位装置は、決済に用いられる前記記録媒体としての前記非接触通信媒体から非接触通信にて情報を読み取り可能な上位側非接触通信手段を備え、
前記上位装置の前記情報処理手段は、
前記上位側非接触通信手段と前記非接触通信媒体との間で非接触通信が行われる場合には、前記上位側非接触通信手段が前記非接触通信媒体から読み取った読取情報に基づく決済処理を行い、
前記携帯型下位端末と前記非接触通信媒体との間で非接触通信が行われる場合には、前記携帯型下位端末と前記非接触通信媒体との間で行われる非接触通信によって得られた前記応答情報に基づく決済処理を行うことを特徴とする請求項１から請求項８のいずれか一項に記載の読取システム。
【発明の詳細な説明】
【技術分野】
【０００１】
本発明は、読取システムに関するものである。
【背景技術】
【０００２】
従来、端末装置（下位端末）で所定の記録媒体に記録される情報を読み取り、その情報を上位端末へ送信し、さらに上位端末が管理サーバ（例えば、ホストサーバなど）へ送信するシステムが知られている。このようなシステムは、例えば、電子マネー取引などで広く用いられており、特許文献１のようなものが提供されている。
【０００３】
特許文献１には、ＩＣカードを用いて決済処理を行うＩＣカード決済システムが記載されている。このＩＣカード決済システムは、上位端末（１０１）からの命令コマンドに従い、ＩＣカードに所定の処理を行うＩＣカード処理端末（２０１）と、電子マネーの運営会社やクレジットカード会社により運営され、取引管理などを行うセンター（３０１）と、ＩＣカード処理端末（２０１）を用いてＩＣカード決済を行う店舗等に設置されたＰＯＳレジスタなどから構成され、ＩＣカード処理端末（２０１）およびセンター（３０１）と通信処理を行う上位端末（１０１）とを備えている。また、ＩＣカード処理端末（２０１）は、ＩＣカードと特殊な暗号化データで情報の送受を行ったり、該ＩＣカードが有する各種情報へのアクセス管理などを司る処理基板（ＩＣカードモジュール）（２０３）を備えている。
【先行技術文献】
【特許文献】
【０００４】
【特許文献１】特開２００５−２５８８８５公報
【発明の概要】
【発明が解決しようとする課題】
【０００５】
ところで、電子マネー取引などを行う端末装置では、当該端末装置の盗難や紛失などに起因した情報の漏洩等に対する対策が求められている。特に、電子マネー取引における取引明細は、加盟店（電子マネー決済を導入している店舗など）にとって代金を回収するための重要なデータであるため、より高いセキュリティ性が求められている。この点に関し、特許文献１では、ＩＣカード処理端末（２０１）において、ＩＣカードと特殊な暗号化データでやり取りしたり、カード内のデータへのアクセス管理などを行う特殊な処理基板を組み込むことで、セキュリティ性の改善を図っている。
【０００６】
しかしながら、上記特許文献１の技術は、カードアクセステーブル等の重要な情報がＩＣカード処理端末に記憶され、ＩＣカードからの読取情報や決済内容もＩＣカード処理端末内に残存するものと想定されるため、当該端末の盗難や紛失などが発生した場合に内部の重要情報が漏洩してしまう問題が依然として残る。また、ＩＣカードモジュール内のセキュリティ性が高められていたとしても、盗難等が発生した場合にはこの部分が時間をかけて解析されてしまう虞があり、セキュリティ面の一層の強化が求められている。
【０００７】
本発明は、上述した課題を解決するためになされたものであり、下位端末をより簡易に構成することができ、下位端末のセキュリティ性を確実に高めることが可能な読取システムを提供することを目的とする。
【課題を解決するための手段】
【０００８】
本発明は、情報処理機能を有する機器によって構成される上位装置と、前記上位装置と通信可能に構成され記録媒体からの情報取得動作が可能な携帯型下位端末と、を備えた読取システムであって、前記上位装置は、前記携帯型下位端末と通信可能な上位側通信手段と、前記携帯型下位端末から所定情報を取得した場合に動作する動作プログラムと、前記動作プログラムの実行に応じて前記携帯型下位端末に対し命令情報を送信し、当該命令情報に応じた前記携帯型下位端末からの応答情報に基づいて情報処理を行う情報処理手段と、を備え、前記携帯型下位端末は、前記上位装置と通信可能な下位側通信手段と、外部操作が可能な操作手段と、前記記録媒体から情報を取得する動作を行う情報取得手段と、前記操作手段にて所定の外部操作があった場合に前記上位装置に対して前記所定情報を送信するアクセス手段と、前記上位装置から前記命令情報を取得し、当該命令情報に応じて前記情報取得手段又は当該携帯型下位端末に設けられた他の装置を動作させる動作手段と、前記応答情報として、前記情報取得手段によって取得された取得情報又は当該取得情報を加工した加工情報を前記上位装置に送信する情報送信手段と、前記情報送信手段によって送信する情報を、当該携帯型下位端末内で非蓄積状態とする非蓄積手段と、を有することを特徴とする。
【発明の効果】
【０００９】
請求項１の発明では、情報処理機能を有する機器によって構成される上位装置と、上位装置と通信可能に構成され記録媒体からの情報取得動作が可能な携帯型下位端末とを備えている。そして、携帯型下位端末は、上位装置が有する動作プログラムの実行に応じて、上位装置から命令情報を受信し記録媒体からの情報取得や他の装置を動作させるようにしており、また、上位装置は命令情報に応じた携帯型下位端末からの応答情報に基づいて情報処理を行うようにしている。すなわち、この構成では、上位装置側で、携帯型下位端末の情報取得動作などを制御するようにしているので、携帯型下位端末では必要最小限の機能のみ（すなわち、液晶画面などの表示装置や入力キーなどの入力装置など）を備えていればよく、下位端末をより簡易に構成することができる。
【００１０】
さらに、携帯型下位端末では、情報取得手段によって取得された取得情報又は当該取得情報を加工した加工情報を情報送信手段により上位装置に送信するとともに、情報送信手段によって送信する情報を、当該携帯型下位端末内で非蓄積状態（取得した情報を消去するなどしてメモリ等に蓄積させない）とするようにしている。このため、当該下位端末の盗難や紛失などが発生した場合に内部の情報が漏洩するのを抑えることができ、セキュリティ性を確実に高めることが可能となる。特に、下位端末側で、セキュリティ性を高めるための特殊な部品等を必要としないため、より簡易な構成でセキュリティ性を高めることができる。
【００１１】
請求項２の発明では、携帯型下位端末の情報取得手段は、決済に用いられる記録媒体としての非接触通信媒体から非接触通信にて情報を読み取る非接触通信手段を備えている。そして、上位装置の情報処理手段は、携帯型下位端末の情報送信手段からの応答情報の送信があった場合に、当該応答情報に基づく決済処理を行うようにしている。このように、携帯型下位端末では読取処理のみを行い、決済処理自体は上位装置で行うようにしているので、個人情報や機密情報が取り扱われる電子マネー取引等において、情報の漏洩をより効果的に抑えることができ、高いセキュリティ性を確保することができる。
【００１２】
請求項３の発明では、上位装置の情報処理手段は、携帯型下位端末に対し非接触通信媒体に送信するべきコマンドを送信するようにしている。また、携帯型下位端末の動作手段は、上位装置からコマンドを取得した場合に当該コマンドを非接触通信手段に与えるようにしている。そして、非接触通信手段はコマンドを変調して非接触通信媒体に送信するようにしている。このように、携帯型下位端末は、上位装置の情報処理手段にて行われる決済処理に応じて上位装置から送信されたコマンドを変調する構成を必要最小限の機能として備えていればよく、決済処理を行うための動作プログラム等を備える必要がないため、当該端末をより簡易に構成することができる。
【００１３】
請求項４の発明では、記録媒体には、当該記録媒体に固有に割り当てられた固有情報が記録されている。そして、携帯型下位端末の情報取得手段は、記録媒体から少なくとも固有情報を取得するように構成され、また、携帯型下位端末の情報送信手段は、少なくとも固有情報を上位装置に送信するように構成されている。さらに、非蓄積手段は、当該携帯型下位端末内で固有情報を強制消去するようにしている。このように、携帯型下位端末では、記録媒体に固有に割り当てられた固有情報（例えばカード番号や個人情報など）を取得すると上位装置へ送信すると共に、取得した固有情報を当該下位端末から強制消去するようにしているので、当該下位端末に不必要に固有情報が残ることを確実に防止することができ、セキュリティ性をより高めることができる。
【００１４】
請求項５の発明では、上位装置には、描画データを生成する描画データ生成手段と、描画データ生成手段で生成された描画データを携帯型下位端末に送信する描画データ送信手段とが設けられている。そして、携帯型下位端末には、情報の表示が可能な表示部が備えられており、上位装置から描画データの送信があった場合に、当該描画データに応じた描画内容で表示制御手段により表示部の表示を行うようにしている。このように、上位装置側で描画データを生成するようにしているため、携帯型下位端末側ではこの描画データを受信して単に表示するだけでよく、携帯型下位端末の構成やプログラム等をより簡素化することができる。
【００１５】
請求項６の発明では、上位装置の描画データ生成手段は、表示するべき文字を指定する文字情報と当該文字情報の表示位置を指定する位置情報とを含んでなる描画情報を生成するようにしている。また、携帯型下位端末の表示制御手段は、描画情報の位置情報で指定される位置に、当該描画情報で指定される文字情報を表示するように表示部での表示を行うようにしている。このように、上位装置側から携帯型下位端末側へ、文字情報と当該文字情報の表示位置を指定する位置情報とを送信するようにし、この送信される情報に基づき携帯型下位端末では表示部に描画情報を表示するようにしているので、送信される描画情報のデータサイズを比較的抑えることができ、通信負荷を軽減することができる。
【００１６】
請求項７の発明では、上位装置には、音データを記憶する音データ記憶手段と、所定の音発生条件成立時に音データ記憶手段に記憶された音データを携帯型下位端末に送信する音データ送信手段とが設けられている。また、携帯型下位端末には、少なくとも上位装置から音データの送信があった場合に当該音データに応じた音を発生させる音発生手段が設けられている。このように、音データを上位装置に記憶し、所定の音発生条件成立時に携帯型下位端末へ送信するようにしているので、携帯型下位端末ではこの音データを常時記憶しておく必要がなく、当該下位端末の構成をより簡素なものとすることができる。
【００１７】
請求項８の発明では、動作プログラムは、携帯型下位端末から所定情報を取得した場合に、予め定められた規定の共通データを携帯型下位端末へ送信する送信プログラムを含んでおり、また、情報処理手段は、送信プログラムの実行に応じて共通データを携帯型下位端末に対して送信するようにしている。また、携帯型下位端末は、上位装置から取得した共通データを登録する共通データ登録手段と、上位装置と所定の通信不能状態となった場合に、共通データ登録手段に登録された共通データを消去する共通データ消去手段とを備えている。この構成によれば、上位装置の動作プログラムは、携帯型下位端末から所定情報を取得した場合に（例えば携帯型下位端末の電源投入時など）、予め定められた規定の共通データ（例えば、音データや画像データ、動画データなど）を携帯型下位端末へ送信するようになっているので、携帯型下位端末ではこの共通データを予め受信しておくことができ、通信負荷を分散させることができる。また、携帯型下位端末では、上位装置と所定の通信不能状態となった場合に、この受信した共通データを消去するようにしているので、当該下位端末側でこの共通データを常時記憶しておく必要がなく、当該下位端末の構成をより簡素なものとすることができる。
【００１８】
請求項９の発明では、上位装置は、決済に用いられる記録媒体としての非接触通信媒体から非接触通信にて情報を読み取り可能な上位側非接触通信手段を備え、上位装置の情報処理手段は、上位側非接触通信手段と非接触通信媒体との間で非接触通信が行われる場合には、上位側非接触通信手段が非接触通信媒体から読み取った読取情報に基づく決済処理を行い、携帯型下位端末と非接触通信媒体との間で非接触通信が行われる場合には、携帯型下位端末と非接触通信媒体との間で行われる非接触通信によって得られた応答情報に基づく決済処理を行う。
この構成によれば、上位装置側で決済処理を行う場合には上位側非接触通信手段に搭載された機能を直接利用して非接触通信媒体と直接的に非接触通信を行い、通常の決済処理を行うことができる。一方、携帯型下位端末で決済処理を行う場合、携帯型下位端末を非接触通信のインタフェースとして機能させ、決済処理については上位装置側の機能を利用することができる。特に、利用者が携帯型下位端末での決済を希望する場合に、決済の受付については携帯型下位端末を利用し、決済機能については上位装置側の機能を利用することができるため、携帯型下位端末の構成や処理の簡素化を図りつつ、利便性の高い決済が可能となる。また、決済に付随する処理についても、上位装置側での処理を携帯型下位端末でも共通して利用しやすく、設計面でも非常に有利となる。
【図面の簡単な説明】
【００１９】
【図１】図１は、第１実施形態に係る読取システムの構成を概略的に例示する説明図である。
【図２】図２は、図１の読取システムで用いられる電子マネー決済機を概略的に例示するブロック図である。
【図３】図３は、図１の読取システムで用いられる携帯型端末を概略的に例示するブロック図である。
【図４】図４は、変復調器の構成を例示するブロック図である。
【図５】図５は、第１実施形態に係る読取システムで行われる読取処理の流れを説明する説明図である。
【図６】図６は、第１実施形態に係る読取システムで行われる初期設定の様子を説明する説明図である。
【発明を実施するための形態】
【００２０】
[第１実施形態]
以下、本発明に係る読取システムを具現化した第１実施形態について、図面を参照して説明する。
（全体構成）
本第１実施形態では、当該読取システムを、ＩＣカードなどの非接触通信媒体と非接触通信を行い、決済処理を行う電子マネー取引システムに適用した例を挙げて説明する。
図１に示すように、本第１実施形態の電子マネー取引システム１では、情報処理機能を有する機器によって構成される電子マネー決済機１０と、電子マネー決済機１０と通信可能に構成され記録媒体（ＩＣカードＣ）からの情報取得動作が可能な携帯型端末３０とを備えて構成される。また、電子マネー決済機１０は、ＰＯＳレジスタ等の電子レジスタなどから構成されるレジ６０とＬＡＮなどのネットワークを介して接続されているとともに、レジ６０を介して電子マネーセンタ７０に接続されている。なお、電子マネー決済機１０は、レジ６０（ＰＯＳレジ）の電子マネー決済機能を実現するように構成されており、例えばレジ６０に内蔵または外付けされた定置型決済端末として構成されている。また、電子マネー決済機１０は、「上位装置」の一例に相当し、携帯型端末３０は、「携帯型下位端末」の一例に相当する。更に、レジ６０と電子マネー決済機１０によって上位のコンピュータ（電子マネー決済機能を有する上位コンピュータ）が構成され、この上位のコンピュータに対し電子マネーセンタ７０などの最上位システムが接続された構成となっている。なお、最上位システムは、電子マネーセンタ７０以外であってもよく、例えばストアードコンピュータシステムなどであってもよい。
【００２１】
（電子マネー決済機の構成）
電子マネー決済機１０は、当該決済機１０に翳されたＩＣカードＣを直接読み取り決済処理を行う（リアル処理）機能を有しており、携帯型端末３０側では、電子マネー決済機１０のこの機能を利用してサイバー的に決済処理（サイバー処理）を行うようになっている（携帯型端末３０は、シンクライアント型の端末として構成されている。）
電子マネー決済機１０は、当該電子マネー決済機１０全体を制御する制御部１１が設けられている。この制御部１１は、マイコンを主体として構成されるものであり、ＣＰＵ、システムバス、入出力インタフェース等を有しており、メモリ１３とともに情報処理装置を構成し得るもので情報処理機能を有している。また、制御部１１は、携帯型端末３０から所定情報を取得した場合に、決済などの処理プログラム（動作プログラム）を実行するようになっている。制御部１１は、メモリ１３に記憶されるネガデータを基にＩＣカードＣが有効であるかのネガチェックを行ったり、無線リーダ部１５で取得したデータ（決済データなど）を暗号化したり復号化する機能を備えている。この制御部１１には、メモリ１３、無線リーダ部１５、表示装置１７、鳴音装置１９、外部インタフェース２１などが接続されている。なお、制御部１１は、「情報処理手段」の一例に相当する。
【００２２】
メモリ１３は、ＲＯＭ、ＲＡＭ、不揮発性メモリなどから構成されており、後述する携帯型端末３０のメモリ３３よりも記憶される情報を保護する機能が高いセキュアメモリとして構成されている。そして、このメモリ１３には、決済などの処理を行う処理プログラムや利用を停止した無効なＩＣカードＣのデータであるネガデータ、暗号鍵等の情報が記憶されている。また、メモリ１３には、決済処理に応じた音データや画像データ（例えば、「ありがとうございました」などの音声データやメッセージなど）が記憶されており、携帯型端末３０へ送信するようになっている。なお、メモリ１３は、「音データ記憶手段」の一例に相当する。
【００２３】
無線リーダ部１５は、制御部１１からの指令に応じて、制御部１１と協働してＩＣカードＣに記憶されるデータの読取り、或いは非接触通信媒体に対するデータの書込みを行なうように機能するものである。なお、後述の携帯型端末３０に設けられるアンテナ４７を介して、ＩＣカードＣの情報が取得されるとともに、ＩＣカードＣの情報を書き換えるようになっている。なお、無線リーダ部１５は、「上位側非接触通信手段」の一例に相当する。
【００２４】
表示装置１７は、制御部１１によって制御される構成をなしており、制御部１１により生成される描画情報（後述）に基づき、所定の情報（「センターと通信中」などの決済状況を示す情報や、「いらっしゃいませ」などの情報等）を表示するようになっている。鳴音装置１９は、スピーカとして構成されるものであり、制御部１１からの指令を受けてアラーム音や音声などを発生させるようになっている。
【００２５】
外部インタフェース２１は、携帯型端末３０やレジ６０等の外部装置との間でのデータ通信を行うためのインタフェースとして構成されており、制御部１１と協働して通信処理を行う構成をなしている。なお、外部インタフェース２１は、「上位側通信手段」の一例に相当する。また、電子マネー決済機１０には、電源部２５が設けられており、制御部１１や各種電気部品に電力が供給されるようになっている。
【００２６】
（携帯型端末の構成）
次に携帯型端末３０の構成について説明する。携帯型端末３０は、例えば、図１に示すような外観をなしている。そして、この携帯型端末３０は、図３に示すように、携帯型端末３０全体を制御する制御部３１が設けられている。この制御部３１は、マイコンを主体として構成されるものであり、ＣＰＵ、システムバス、入出力インタフェース等を有している。そして、制御部３１は、電子マネー決済機１０から送信される命令情報に応じて、ＩＣカードＣの情報の読み取りや書き換えを行ったり、表示装置３７や鳴音装置３９を動作させるようになっている。また、制御部３１には、メモリ３３、キー入力装置３５、表示装置３７、鳴音装置３９、外部インタフェース４１、変復調器４３、電源部４９などが接続されている。なお、制御部３１は、「動作手段」の一例に相当する。また、表示装置３７や鳴音装置３９は、「他の装置」の一例に相当する。
【００２７】
メモリ３３は、ＲＯＭ、ＲＡＭ、不揮発性メモリなどから構成されており、電子マネー決済機１０から送信される情報（音データなどの予め定められた規定の共通データ）を記憶すると共に、ＩＣカードＣから読み取った情報を加工する際にこの情報を一時的に記憶可能となっている。なお、メモリ３３は、電子マネー決済機１０から取得した共通データを登録する「共通データ登録手段」の一例に相当する。
【００２８】
キー入力装置３５は、制御部３１に対して操作信号を与える構成をなしており、制御部３１は、これらからの操作信号を受けて操作信号の内容に応じた動作を行うようになっている。また、制御部３１は、このキー入力装置３５の外部操作によって操作信号が与えられると、電子マネー決済機１０へ、この操作信号を送信するようになっている。すなわち、このキー入力装置３５の操作によって、電子マネー決済機１０は、決済処理などの処理プログラム（動作プログラム）を動作させるようになっている。なお、キー入力装置３５は「操作手段」の一例に相当し、操作信号は「所定情報」の一例に相当する。
【００２９】
表示装置３７は、例えば液晶表示器等からなり、制御部３１によって制御される構成をなしており、制御部３１からの指令を受けて動作するようになっている。具体的には、表示装置３７は、電子マネー決済機１０から描画データの送信があった場合に、当該描画データに応じた描画内容で表示を行うようになっている。なお、表示装置３７は、「表示部」の一例に相当する。また、描画データに応じた描画内容で表示装置３７の表示の制御を行う制御部３１は、「表示制御手段」の一例に相当する。
【００３０】
鳴音装置３９は、例えばスピーカ等からなり、制御部３１によって制御される構成をなしており、制御部３１からの指令を受けて動作するようになっている。そして、電子マネー決済機１０から送信された音データに応じた音を発生させるように構成されている。例えば、「カードを翳してください」や「ありがとうございました」などの音声や、ＩＣカードＣの種類に応じた決済音（「シャリーン」など）が、処理に応じて流れるように設定される。なお、鳴音装置３９は、「音発生手段」の一例に相当する。
【００３１】
外部インタフェース４１は、電子マネー決済機１０等の外部装置との間でのデータ通信を行うためのインタフェースとして構成されており、制御部３１と協働して通信処理を行う構成をなしている。そして、キー入力装置３５によって制御部３１に対して操作信号が入力されると、電子マネー決済機１０に対してこの操作信号を送信するようになっている。また、ＩＣカードＣから取得した取得情報若しくは、この情報を加工した加工情報等を電子マネー決済機１０へ送信するようになっている。なお、外部インタフェース４１は、「下位側通信手段」、「アクセス手段」及び「情報送信手段」の一例に相当する。
【００３２】
変復調器４３は、公知の電波方式で伝送を行う回路として構成されており、図４にて概略的に示すように、発振器４４、変調器４５、復調器４６などを備えてなるものである。なお、変復調器４３には、これら以外の公知構成（例えば、増幅器、フィルタ回路、整合回路等）も設けられているが、図４ではこれらについては図示を省略している。なお、変復調器４３は、「情報取得手段」及び「非接触通信手段」の一例に相当する。
【００３３】
この変復調器４３では、発振器４４にて生成された搬送波を、ＩＣカードＣに与えるべき送信データ（制御部３１から出される読取命令や書込命令など）に基づいて変調し、その変調波を、コイルアンテナなどからなるアンテナ４７からＩＣカードＣに対して発射する構成をなしている。なお、これを受けるＩＣカードＣでは、アンテナ４７から発射された電波を受信し、復調して読み取りや書込みを行う。一方、ＩＣカードＣから携帯型端末３０へのデータ伝送は、アンテナ４７から発射された電波を反射波に利用し、ＩＣカードＣから送信すべきデータに基づいて変調することで行われる。ＩＣカードＣから反射される電波は、アンテナ４７にて受信され、復調器４６にて復調された後、制御部３１にてデータとして利用されることとなる。
【００３４】
なお、読取対象となるＩＣカードＣとしては、携帯型端末３０との間での通信を行うためのＩＣカードＣ側アンテナと、データの保持及び応答信号を発生するＩＣチップと、を備えたものが挙げられる。また、当該、ＩＣカードＣに内蔵されるＩＣチップとしては、例えば、通信等の制御を行うＣＰＵ、送受信信号の変調・復調を行う変復調回路、動作プログラム等を記憶するＲＯＭ、データを記憶する読書き可能なＥＥＰＲＯＭ等をワンチップ化したものなどが挙げられる。また、このＩＣカードＣには、当該ＩＣカードＣに固有に割り当てられたカード番号や個人情報などの固有情報が記録されている。そして、携帯型端末３０にてこの固有情報が取得され、この読み取られた固有情報（読取情報）が電子マネー決済機１０側へ送信されるようになっている。
【００３５】
（読取処理）
次に、上述のように構成される電子マネー取引システム１（読取システム）において行われる読取処理について、図５を用いて説明する。ここでは、ＩＣカードＣに対して行われる決済処理を例に挙げて説明する。また、当該電子マネー取引システム１は、例えば、デバート等の惣菜売り場などのアイランド形のテナントなどで用いることができる。なお、当該電子マネー取引システム１に用いられる携帯型端末３０の台数は特に限定されないが、ここでは、任意の携帯型端末３０において行われる決済処理について説明する。
【００３６】
まず、キー入力装置３５などの操作によって携帯型端末３０の電源投入或いはその他の指示入力等がなされると、携帯型端末３０の所定情報（開始のトリガとなる情報であり、所定キーの押下があったことを特定可能なキー押下情報）として、電子マネー決済機１０側へ送信される（図５（１））。そして、電子マネー決済機１０は、この「所定情報」を受けた場合に、音データ（「ありがとうございました」などの音声や「シャリーン」などの決済音の音データ）や画像データ（「ありがとうございました」などの画像データ）などの予め定められた規定の共通データが携帯型端末３０へ送信されるようになっている（図示略）。そして、携帯型端末３０では、この共通データを受信すると、メモリ３３へ登録する。なお、携帯型端末３０による所定情報（キー押下情報）送信時（「所定の音発生条件成立時」に相当）に、メモリ１３に記憶された音データを送信する外部インタフェース２１は、「音データ送信手段」の一例に相当する。
【００３７】
このように、携帯型端末３０から所定情報（キー押下情報）が送信されると、図６に示すように、携帯型端末３０では、当該携帯型端末３０を識別するための識別子（例えば、端末Ａと端末Ｂがある場合に、それぞれの端末を識別可能な識別子（端末固有情報））を電子マネー決済機１０へ送信する。また、電子マネー決済機１０では、各携帯型端末３０に応じた処理画面（スレッド）を立ち上げ、決済を行うための所定の決済プログラム（動作プログラム）を動作させる。
【００３８】
そして、携帯型端末３０のキー入力装置３５にて、決済に関わる情報（商品の金額などの情報）が入力されると、この情報が電子マネー決済機１０側へ送信される。そして、電子マネー決済機１０では、この情報に基づき合計の精算金額を算出し（合算処理）、この精算金額に応じた描画データを生成するとともに、携帯型端末３０へ送信する（図５（２））。より具体的に、電子マネー決済機１０では、携帯型端末３０の表示装置３７において、表示するべき文字を指定する文字情報と当該文字情報の表示位置を指定する位置情報とを含んでなる描画情報を生成するようにしている。このように、精算金額などの情報を携帯型端末３０へ生データで送信するのではなく、表示するべき文字を指定する文字情報と当該文字情報の表示位置を指定する位置情報とを含んでなる描画情報で送信することで、送信データ量の低減を図ることができ、よりセキュリティ性を高めることができる。また、電子マネー決済機１０では、この精算金額などの情報と共に、「カードを翳してください」などの描画情報を送るようになっている（図５（３））。なお、この「カードを翳してください」などのメッセージ情報は、携帯型端末３０の電源投入時などに、規定の共通データとして送信されていてもよく、この場合は、電子マネー決済機１０からの命令情報（当該メッセージの読み出し及び表示を指示する命令情報）に応じてメモリ３３から読み出されることとなる。そして、携帯型端末３０では、この描画データを受信すると、この描画データに応じた描画内容を表示装置３７に表示する。なお、描画データを生成する制御部１１は、「描画データ生成手段」の一例に相当する。また、この描画データを送信する外部インタフェース２１は、「描画データ送信手段」の一例に相当する。
【００３９】
次に、電子マネー決済機１０では、携帯型端末３０の変復調器４３でのＩＣカードＣとの通信開始の条件となる指示情報（ＲＷ変調指示）を送信し、ポーリングを行う（図５（４））。また、このとき、電子マネー決済機１０では携帯型端末３０へ、ＩＣカードＣへ送信するべきコマンド（ＩＣカードＣ内のＩＣチップから情報を読み出すコマンドなど）を送信する（図５（４））。一方、携帯型端末３０では、電子マネー決済機１０からこの指示情報（コマンド）を取得すると、変復調器４３を動作させ、このコマンドを変調してＩＣカードＣへ送信し、ＩＣカードＣとの非接触通信を実行する。そして、携帯型端末３０では、ＩＣカードＣに固有に割り当てられた固有情報（カード番号や個人情報等）や残金（プリペイドカードなどの場合）などの情報を取得し、この取得したカード情報を変調して応答情報として電子マネー決済機１０へ送信する（図５（５））（カード処理）。なお、携帯型端末３０では、この送信したカード情報をメモリ３３に記憶した場合には、電子マネー決済機１０へ送信後、強制消去する。なお、制御部３１は、「非蓄積手段」の一例に相当する。なお、メモリ３３内の情報は送信後にすぐに消去してもよく、電源オフ時に揮発させて消去させてもよい。
【００４０】
そして、電子マネー決済機１０では、携帯型端末３０から受信したカード情報に基づき、ＩＣカードＣについての公知のネガ判定（ＩＣカードが有効であるか否かの判定）を行い、ＩＣカードＣが有効と判定されれば決済処理（例えば現在の残金から精算金額を差し引いた新たな残金を算出し、請求金額を売上げとして登録する処理）を行い、ＩＣカードＣの残金の書き換え指示情報を携帯型端末３０へ送信する（図５（６））。そして、携帯型端末３０では、この書き換え指示情報を受信すると、この指示情報を変調してＩＣカードＣへ送信し、これによりＩＣカードＣ内のＩＣチップの情報を書き換える。ＩＣカードＣでは、正常に書き換えが行われた場合にその旨を結果情報として応答するようになっており、携帯型端末３０はこのようなＩＣカードＣからの結果情報を受けた場合には、その結果情報を電子マネー決済機１０側へカード応答結果として送信する（図５（７））（書き込み処理）。
【００４１】
そして、電子マネー決済機１０では、このカード応答結果を受信すると、「ありがとうございました」などの文字情報（メッセージ情報）とこの文字情報の表示位置を指定する位置情報とを含んでなる描画情報を生成し、携帯型端末３０側へ送信する（図５（８））。また、電子マネー決済機１０は、鳴音情報（「シャリーン」などの決済完了音）を携帯型端末３０へ送信する（図５（９））（完了処理）。なお、この「ありがとうございました」などのメッセージ情報や鳴音情報は、携帯型端末３０の電源投入時などに、規定の共通データとして送信されたものを用いることができ、この場合は、電子マネー決済機１０からの命令情報に応じてメモリ３３から読み出されることとなる。そして、携帯型端末３０では、「ありがとうございました」のメッセージ情報を表示すると共に、決済完了音を鳴らし、当該処理を終了する。なお、携帯型端末３０では、電子マネー決済機１０との通信が不能となった場合には、メモリ３３に記憶された共通データを消去するようになっており、制御部３１は、「共通データ消去手段」の一例に相当する。
【００４２】
なお、本実施形態では、上位装置に相当する電子マネー決済機１０にも、上位側非接触通信手段に相当する無線リーダ部１５が設けられており、ＩＣカードＣ（決済に用いられる記録媒体としての非接触通信媒体）と非接触通信を行うことができるようになっている。この構成では、電子マネー決済機１０に対してＩＣカードＣが翳されて決済が行われる場合、当該電子マネー決済機１０において一般的な方法で決済処理が行われる。つまりこの構成では、電子マネー決済機１０（上位装置）の制御部１１（情報処理手段）は、無線リーダ部１５（上位側非接触通信手段）とＩＣカードＣ（非接触通信媒体）との間で非接触通信が行われる場合には、無線リーダ部１５がＩＣカードＣから読み取った読取情報（識別情報や残金等）とレジ６０等にて入力された精算金額に基づいて決済処理を行うことになる。一方、電子マネー決済機１０（上位装置）の制御部１１（情報処理手段）は、上述したように、携帯型端末３０とＩＣカードＣとの間で非接触通信が行われる場合には携帯型端末３０とＩＣカードＣとの間で行われる非接触通信によって得られた上述の応答情報に基づく決済処理を行うことになる。
【００４３】
以上説明したように、本第１実施形態に係る電子マネー取引システム（読取システム）１では、情報処理機能を有する機器によって構成される電子マネー決済機１０と、電子マネー決済機１０と通信可能に構成されＩＣカードＣ（記録媒体）からの情報取得動作が可能な携帯型端末３０とを備えている。そして、携帯型端末３０は、電子マネー決済機１０が有する動作プログラムの実行に応じて、電子マネー決済機１０から命令情報を受信しＩＣカードＣからの情報取得や他の装置を動作させるようにしており、また、電子マネー決済機１０は命令情報に応じた携帯型端末３０からの応答情報に基づいて情報処理を行うようにしている。すなわち、この構成では、電子マネー決済機１０側で、携帯型端末３０の情報取得動作などを制御するようにしているので、携帯型端末３０では必要最小限の機能のみ（すなわち、液晶画面などの表示装置や入力キーなどの入力装置など）を備えていればよく、携帯型端末３０をより簡易に構成することができる。
【００４４】
さらに、携帯型端末３０では、情報取得手段（変復調器４３）によって取得された取得情報又は当該取得情報を加工した加工情報を情報送信手段（外部インタフェース４１）により電子マネー決済機１０に送信するとともに、情報送信手段によって送信する情報を、当該携帯型端末３０内で非蓄積状態（取得した情報を消去するなどしてメモリ等に蓄積させない）とするようにしている。このため、当該携帯型端末３０の盗難や紛失などが発生した場合に内部の情報が漏洩するのを抑えることができ、セキュリティ性を確実に高めることが可能となる。特に、携帯型端末３０で、セキュリティ性を高めるための特殊な部品等を必要としないため、より簡易な構成でセキュリティ性を高めることができる。
【００４５】
また、携帯型端末３０の情報取得手段は、決済に用いられるＩＣカードＣとしての非接触通信媒体から非接触通信にて情報を読み取る非接触通信手段（変復調器４３）を備えている。そして、電子マネー決済機１０の情報処理手段（制御部１１）は、携帯型端末３０の情報送信手段からの応答情報の送信があった場合に、当該応答情報に基づく決済処理を行うようにしている。このように、携帯型端末３０では読取処理のみを行い、決済処理自体は電子マネー決済機１０で行うようにしているので、個人情報や機密情報が取り扱われる電子マネー取引等において、情報の漏洩をより効果的に抑えることができ、高いセキュリティ性を確保することができる。
【００４６】
また、電子マネー決済機１０の情報処理手段は、携帯型端末３０に対しＩＣカードＣに送信するべきコマンドを送信するようにしている。また、携帯型端末３０の動作手段は、電子マネー決済機１０からコマンドを取得した場合に当該コマンドを非接触通信手段に与えるようにしている。そして、非接触通信手段はコマンドを変調してＩＣカードＣに送信するようにしている。このように、携帯型端末３０は、電子マネー決済機１０の情報処理手段にて行われる決済処理に応じて電子マネー決済機１０から送信されたコマンドを変調する構成を必要最小限の機能として備えていればよく、決済処理を行うための動作プログラム等を備える必要がないため、当該端末をより簡易に構成することができる。
【００４７】
また、ＩＣカードＣには、当該ＩＣカードＣに固有に割り当てられた固有情報が記録されている。そして、携帯型端末３０の情報取得手段は、ＩＣカードＣから少なくとも固有情報を取得するように構成され、また、携帯型端末３０の情報送信手段は、少なくとも固有情報を電子マネー決済機１０に送信するように構成されている。さらに、非蓄積手段は、当該携帯型端末３０内で固有情報を強制消去するようにしている。このように、携帯型端末３０では、ＩＣカードＣに固有に割り当てられた固有情報（例えばカード番号や個人情報など）を取得すると電子マネー決済機１０へ送信すると共に、取得した固有情報を当該携帯型端末３０から強制消去するようにしているので、当該携帯型端末３０に不必要に固有情報が残ることを確実に防止することができ、セキュリティ性をより高めることができる。
【００４８】
また、電子マネー決済機１０には、描画データを生成する描画データ生成手段（制御部１１）と、描画データ生成手段で生成された描画データを携帯型端末３０に送信する描画データ送信手段（外部インタフェース２１）とが設けられている。そして、携帯型端末３０には、情報の表示が可能な表示装置３７が備えられており、電子マネー決済機１０から描画データの送信があった場合に、当該描画データに応じた描画内容で表示制御手段（制御部３１）により表示装置３７の表示を行うようにしている。このように、電子マネー決済機１０側で描画データを生成するようにしているため、携帯型端末３０側ではこの描画データを受信して単に表示するだけでよく、携帯型端末３０の構成やプログラム等をより簡素化することができる。
【００４９】
また、電子マネー決済機１０の描画データ生成手段は、表示するべき文字を指定する文字情報と当該文字情報の表示位置を指定する位置情報とを含んでなる描画情報を生成するようにしている。また、携帯型端末３０の表示制御手段は、描画情報の位置情報で指定される位置に、当該描画情報で指定される文字情報を表示するように表示装置３７での表示を行うようにしている。このように、電子マネー決済機１０側から携帯型端末３０側へ、文字情報と当該文字情報の表示位置を指定する位置情報とを送信するようにし、この送信される情報に基づき携帯型端末３０では表示装置３７に描画情報を表示するようにしているので、送信される描画情報のデータサイズを比較的抑えることができ、通信負荷を軽減することができる。
【００５０】
また、電子マネー決済機１０には、音データを記憶する音データ記憶手段と、所定の音発生条件成立時に音データ記憶手段（メモリ１３）に記憶された音データを携帯型端末３０に送信する音データ送信手段（外部インタフェース２１）とが設けられている。また、携帯型端末３０には、少なくとも電子マネー決済機１０から音データの送信があった場合に当該音データに応じた音を発生させる音発生手段（鳴音装置３９）が設けられている。このように、音データを電子マネー決済機１０に記憶し、所定の音発生条件成立時に携帯型端末３０へ送信するようにしているので、携帯型端末３０ではこの音データを常時記憶しておく必要がなく、当該携帯型端末３０の構成をより簡素なものとすることができる。
【００５１】
また、動作プログラムは、携帯型端末３０から所定情報を取得した場合に、予め定められた規定の共通データを携帯型端末３０へ送信する送信プログラムを含んでおり、また、情報処理手段は、送信プログラムの実行に応じて共通データを携帯型端末３０に対して送信するようにしている。また、携帯型端末３０は、電子マネー決済機１０から取得した共通データを登録する共通データ登録手段（メモリ３３）と、電子マネー決済機１０と所定の通信不能状態となった場合に、共通データ登録手段に登録された共通データを消去する共通データ消去手段（制御部３１）とを備えている。この構成によれば、電子マネー決済機１０の動作プログラムは、携帯型端末３０から所定情報を取得した場合に（例えば携帯型端末３０の電源投入時など）、予め定められた規定の共通データ（例えば、音データや画像データ、動画データなど）を携帯型端末３０へ送信するようになっているので、携帯型端末３０ではこの共通データを予め受信しておくことができ、通信負荷を分散させることができる。また、携帯型端末３０では、電子マネー決済機１０と所定の通信不能状態となった場合に、この受信した共通データを消去するようにしているので、当該携帯型端末３０側でこの共通データを常時記憶しておく必要がなく、当該携帯型端末３０の構成をより簡素なものとすることができる。
【００５２】
また、電子マネー決済機１０（上位装置）は、決済に用いられる記録媒体としての非接触通信媒体（ＩＣカードＣ）から非接触通信にて情報を読み取り可能な上位側非接触通信手段（無線リーダ部１５）を備え、電子マネー決済機１０の情報処理手段（制御部１１）は、上位側非接触通信手段と非接触通信媒体との間で非接触通信が行われる場合には、上位側非接触通信手段が非接触通信媒体から読み取った読取情報に基づく決済処理を行い、携帯型端末３０と非接触通信媒体との間で非接触通信が行われる場合には、携帯型端末３０と非接触通信媒体との間で行われる非接触通信によって得られた応答情報に基づく決済処理を行う。
この構成によれば、電子マネー決済機１０側で決済処理を行う場合には上位側非接触通信手段に搭載された機能を直接利用して非接触通信媒体と直接的に非接触通信を行い、通常の決済処理を行うことができる。一方、携帯型端末３０で決済処理を行う場合、携帯型端末３０を非接触通信のインタフェースとして機能させ、決済処理については電子マネー決済機１０側の機能を利用することができる。特に、利用者が携帯型端末３０での決済を希望する場合に、決済の受付については携帯型端末３０を利用し、決済機能については電子マネー決済機１０側の機能を利用することができるため、携帯型端末３０の構成や処理の簡素化を図りつつ、利便性の高い決済が可能となる。また、決済に付随する処理についても、電子マネー決済機１０側での処理を携帯型端末３０でも共通して利用しやすく、設計面でも非常に有利となる。
【００５３】
［他の実施形態］
本発明は上記記述及び図面によって説明した実施形態に限定されるものではなく、例えば次のような実施形態も本発明の技術的範囲に含まれる。
【００５４】
上記実施形態では、読取システムを電子マネー取引システムに適用した例を挙げて説明したが、特にこれに限定されない。
【００５５】
上記実施形態では、携帯型端末３０は、電子マネー決済機１０と無線通信を行う構成を例示したが、特にこれに限定されず、有線通信を行う構成であってもよい。
【００５６】
上記実施形態では、携帯型端末３０の電源投入時に、規定の共通データを電子マネー決済機１０から携帯型端末３０へ送信するようにしたが、特にこれに限定されない。
【００５７】
上記実施形態では、電子マネー決済機１０では、携帯型端末３０の表示装置３７において、表示するべき文字を指定する文字情報と当該文字情報の表示位置を指定する位置情報とを含んでなる描画情報を生成するようにしたが、これに限定されず、例えば描画データは所定の画像形式（例えばビットマップなどの形式）で生成されるようにしてもよい。
【符号の説明】
【００５８】
１…電子マネー取引システム（読取システム）
１０…電子マネー決済機（上位装置）
１１…制御部（情報処理手段、描画データ生成手段）
１３…メモリ（音データ記憶手段）
１５…無線リーダ部（上位側非接触通信手段）
１７…表示装置
１９…鳴音装置
２１…外部インタフェース（上位側通信手段、描画データ送信手段、音データ送信手段）
２５…電源部
３０…携帯型端末（携帯型下位端末）
３１…制御部（表示制御手段、非蓄積手段、共通データ消去手段）
３３…メモリ（共通データ登録手段）
３５…キー入力装置（操作手段）
３７…表示装置（表示部）
３９…鳴音装置（音発生手段）
４１…外部インタフェース（下位側通信手段、アクセス手段、情報送信手段）
４３…変復調器（情報取得手段、非接触通信手段）
４４…発振器
４５…変調器
４６…復調器
４７…アンテナ
４９…電源部
６０…レジ
７０…電子マネーセンタ
Ｃ…ＩＣカード（記録媒体、非接触通信媒体）
【図１】
2014071720.tif 000003
【図２】
2014071720.tif 000004
【図３】
2014071720.tif 000005
【図４】
2014071720.tif 000006
【図５】
2014071720.tif 000007
【図６】
2014071720.tif 000008